(57)【要約】【課題】  異なる操作力の要望に容易に対応することができるプッシュスイッチを提供する。【解決手段】  スイッチケース５内に配置されたスイッチ４を押圧操作するための弾性材からなる押圧キャップ２を備えるプッシュスイッチにおいて、押圧キャップ２は、押圧頭部２ａと、該押圧頭部の周囲に延出された弾性可動部２ｂを有し、押圧頭部２ａと弾性可動部２ｂがスイッチケース５の開口から露出した状態でスイッチケース５に固定され、弾性可動部２ｂに、押圧操作力を調整するための調整部材８が付加されていることを特徴とする。【選択図】  図１
2011243479.tif 000002
【特許請求の範囲】
【請求項１】
スイッチケース内に配置されたスイッチを押圧操作するための弾性材からなる押圧キャップを備えるプッシュスイッチにおいて、
前記押圧キャップは、押圧頭部と、該押圧頭部の周囲に延出された弾性可動部を有し、前記押圧頭部と前記弾性可動部が前記スイッチケースの開口から露出した状態で前記スイッチケースに固定され、
前記弾性可動部に、押圧操作力を調整するための調整部材が付加されていることを特徴とするプッシュスイッチ。
【請求項２】
前記調整部材は、リング状の軟質部材であることを特徴とする請求項１に記載のプッシュスイッチ。
【発明の詳細な説明】
【技術分野】
【０００１】
本発明は、スイッチケース内に配置されたスイッチを、ゴムなどの弾性材からなる押圧キャップの上部を押すことにより操作するプッシュスイッチに関する。
【背景技術】
【０００２】
従来から、プッシュスイッチ（押釦スイッチ）として、押圧操作されることでタクトスイッチをオン・オフさせる押圧キャップをケースの開口から露出させ、この押圧キャップの下縁から延出されたスカート部（薄肉弾性部）の周縁をケース開口内面に固定して成るものが知られている。
【０００３】
このようなプッシュスイッチにおいては、スイッチの種類や用途に応じて操作感の異なるものが求められており、所定の操作感を得るために様々な工夫が施されている。
例えば特許文献１には、押圧操作部と離間して対向配置される基体部に、弾性変形可能なドーム部を備え、ドーム部の中央部に対応した位置に押圧操作部側に突出する押し子を備え、押圧操作部を押すことにより、押し子を介してドーム部が弾性変形可能に構成されたプッシュスイッチにおいて、押し子の表面に適宜の硬質処理部を設けることによって操作力を補強したものが開示されている。
【０００４】
また、特許文献２には、上方に突出したプッシュ部を有するスイッチ本体の上面を弾性カバーで覆い、この弾性カバーの上部を押圧することによりプッシュ部を作動させるようにした押釦スイッチにおいて、プッシュ部を囲み、且つプッシュ部周囲のスイッチ本体上面に先端が当接する凸部を弾性カバーの内面に突設し、弾性カバーの上部を押圧することにより、上記凸部を圧縮しながらプッシュ部を作動させるように構成しているものが開示されている。
このような構成によれば、上記凸部の形状や大きさを変えることによって操作力を調整できるので、スイッチの種類や用途などに応じた操作力を得ることが容易になるとされている。
【先行技術文献】
【特許文献】
【０００５】
【特許文献１】特開２００８−１７７１５５号公報
【特許文献２】特開平１１−１３４９６５号公報
【発明の概要】
【発明が解決しようとする課題】
【０００６】
しかしながら、特許文献１に記載のプッシュスイッチでは、プッシュスイッチの内部に設けられる押し子の表面に、紫外線硬化樹脂等の被膜からなる硬質処理部を設けることによって操作力を補強するものであるため、プッシュスイッチを組立後はもはや操作力を調整することができない。
また、特許文献２に記載のプッシュスイッチでは、弾性カバーの内面に設けられる凸部の形状や大きさを変えることによって操作力を調整するものであるため、これもまた、プッシュスイッチを組立後はもはや操作力を調整することができない。
【０００７】
また、特許文献１および特許文献２に記載のプッシュスイッチでは、求められる操作力によって異なる押し子や弾性カバーを使用することになるため、操作力が異なるプッシュスイッチにはこれらの部材を共用することができない。
【０００８】
そこで本発明は、本体部品を共用しつつ、異なる操作力の要望に容易に対応することができるプッシュスイッチを提供することを目的とする。
【課題を解決するための手段】
【０００９】
上記の目的を達成すべく為された本発明は、スイッチケース内に配置されたスイッチを押圧操作するための弾性材からなる押圧キャップを備えるプッシュスイッチにおいて、
前記押圧キャップは、押圧頭部と、該押圧頭部の周囲に延出された弾性可動部を有し、前記押圧頭部と前記弾性可動部が前記スイッチケースの開口から露出した状態で前記スイッチケースに固定され、
前記弾性可動部に、押圧操作力を調整するための調整部材が付加されていることを特徴としているものである。
本発明のプッシュスイッチでは、前記調整部材として、リング状の軟質部材を用いることが好ましい。
【発明の効果】
【００１０】
本発明によれば、プッシュスイッチ本体を組み立てた後に、プッシュスイッチの外部に押圧操作力を調整するための調整部材を付加できるため、プッシュスイッチ本体を共用しつつ、異なる操作力の要望に容易に対応することができる。
【図面の簡単な説明】
【００１１】
【図１】本発明の第１の実施形態例に係るプッシュスイッチを示す図であり、（ａ）は側面図、（ｂ）は（ａ）におけるＡ−Ａ断面図である。
【図２】図１のプッシュスイッチに用いられる調整部材を示す断面図である。
【図３】本発明の変形例に係るプッシュスイッチの側面図である。
【図４】本発明の第２の実施形態例に係るプッシュスイッチを示す図であり、（ａ）は側面図、（ｂ）は（ａ）におけるＢ−Ｂ断面図である。
【発明を実施するための形態】
【００１２】
次に、本発明のプッシュスイッチの実施形態例を説明する。
【００１３】
（第１の実施形態例）
図１は本例に係るプッシュスイッチを示しており、図１（ａ）はプッシュスイッチの側面図、図１（ｂ）は図１（ａ）におけるＡ−Ａ断面図である。
図１において、１はプッシュスイッチ、２は押圧キャップ、３はスイッチ基板、４はスイッチ、５はスイッチケース、６はストッパ、７は充填材、８は調整部材である。
【００１４】
本例のプッシュスイッチ１は、押圧キャップ２を指等により図面下方に押すことにより、スイッチケース５内に配置されているスイッチ４を操作するものであり、例えば図示しない車両用のドアハンドル装置等の開口に取り付けることにより、ドアの施錠もしくは解錠ができるものである。
【００１５】
押圧キャップ２は、ゴム等の弾性を有する軟質樹脂で一体成形され、押圧される部位である押圧頭部２ａと、押圧頭部２ａの周囲に延出された弾性可動部２ｂと、押圧頭部２ａの下方に突出する略円柱状の押圧突起部２ｃと、弾性可動部２ｂから延出された固定部２ｄからなり、固定部２ｄの下面は開口されている。固定部２ｄには段差部２ｅが形成されている。
【００１６】
スイッチ基板３は、押圧キャップ２の段差部２ｅの内側に装着されている。
スイッチ基板３の上には、スイッチ４が配置されている。このスイッチ４は、本体部４ａと、押圧突起部２ｃに対面する操作部４ｂを有する。操作部４ｂは、本体部４ａから突出し図面上下方向に移動可能に構成され、本体部４ａ内の図示しない弾性部材により図面上向きに付勢されている。
押圧突起部２ｃによって操作部４ｂが下方に押圧されると、スイッチがオンされスイッチ基板３に固定された不図示の接続端子を介して不図示のリード線により外部に信号が伝わる。
【００１７】
スイッチケース５は硬質樹脂により筒状に成形され、内側全周に突出する鍔部５ａと複数の係止突起５ｂを有している。
押圧キャップ２は、固定部２ｄの段差部２ｅが鍔部５ａの下側に係合し、押圧頭部２ａと弾性可動部２ｂがスイッチケース５の開口から露出した状態でスイッチケース５に固定されている。
【００１８】
ストッパ６は、硬質樹脂で形成され、スイッチ基板３を押圧キャップ２内に固定するためのものである。
このストッパ６は、押圧キャップ２内にスイッチ基板３の下面から圧入され、スイッチケース５の係止突起５ｂに係止されている。
ストッパ６を装着した後には、ストッパ６の下面から充填材７を充填して防水性を高めている。
【００１９】
調整部材８は、スイッチ４をオンする際に必要とされる押圧頭部２ａに掛ける押圧操作力を調整するための部材である。
本例の調整部材８は、押圧キャップ２と同様にゴム等の弾性を有する軟質樹脂でリング状に成形されたものであり、スイッチケース５の開口から突出している弾性可動部２ｂの周囲に接着や圧入等によって固定されている。
【００２０】
次に、本例のプッシュスイッチ１の組み立て手順を簡単に説明する。
まず、不図示のリード線が、スイッチ４を取り付けたスイッチ基板３に半田付けされ、スイッチ基板アッシーが形成される。
一方、押圧キャップ２の固定部２ｄをスイッチケース５内に挿入し、スイッチケースの鍔部５ａと段差部２ｅを係合させ、ケースアッシーが形成される。
スイッチ基板アッシーは、ケースアッシーの固定部２ｄの開口に装着される。
ストッパ６は、スイッチケース５の下面開口から挿入され、係止突起５ｂにて係止される。充填材７がディスペンサによりスイッチケース５の下面開口内に塗布され、充填材が硬化するとプッシュスイッチ本体が完成する。
最後に、適宜の調整部材８を接着して押圧操作力を調整する。
【００２１】
以上のような構成を有する本例のプッシュスイッチ１では、押圧キャップ２の押圧頭部２ａを指等で押すと、スイッチケース５から突出している弾性可動部２ｂが、弾性変形する。これにより、押圧突起部２ｃが操作部４ｂを押し下げ、スイッチ４がオンされる。
また、スイッチオン状態から操作力を除くと、弾性可動部２ｂが弾性復元して、押圧突起部２ｃと操作部４ｂが初期位置へ戻り、スイッチはオフになり、以後、繰り返し操作が可能となる。
【００２２】
スイッチをオンする際に必要とされる押圧頭部２ａに掛ける押圧操作力は、例えば押圧キャップ２の弾性可動部２ｂの形状やスイッチ４の仕様などを変えることによっても変化させることができる。
しかしながら、押圧キャップ２の形状やスイッチ４の仕様などによって押圧操作力を調整した場合には、前述のように、プッシュスイッチを組み立てた後はもはや押圧操作力を調整することができず、また、押圧操作力が異なるプッシュスイッチにはこれらの押圧キャップやスイッチを共用することができない。
【００２３】
一方、本例のような調整部材８によって押圧操作力を調整する場合には、プッシュスイッチ本体を組み立てた後に調整部材８を付加することができるため、簡単に押圧操作力を調整することができると共に、プッシュスイッチ本体（調整部材８以外の全ての部品）を共用することもできる。
【００２４】
調整部材８による押圧操作力の調整は、弾性係数が異なる材質のものを用いる他にも、例えば図２に示す調整部材８の高さＨや厚みＴを変化させることによっても簡単に行うことができる。
具体的には、例えば調整部材の無い状態では僅かに押圧操作力が足りない場合には、薄くて背が低い調整部材を用いればよい。また、調整部材の無い状態では押圧操作力がかなり足りない場合には、比較的厚くて背が高い調整部材を用いればよい。
【００２５】
なお、本例では調整部材８としてリング状のものを説明したが、例えば平板状のものを用いることもできる。
平板状の調整部材を用いる場合には、押圧操作力が押す方向で大きく変化しない様、例えば図３に示すように、複数の調整部材９を弾性可動部２ｂの周囲に対称配置するのが好ましい。
【００２６】
（第２の実施形態例）
図４は本例に係るプッシュスイッチを示しており、図４（ａ）はプッシュスイッチの側面図、図４（ｂ）は図４（ａ）におけるＢ−Ｂ断面図である。
図４において、図１のプッシュスイッチの各部材に対応する部材には、図１と同じ符号を付しており、詳細な説明は省略する。
【００２７】
本例と第１の実施形態例との主な違いは、
（１）第１の実施形態例では角筒型のスイッチケースを用いているのに対し、本例では円筒型のスイッチケースを用いている点、
（２）第１の実施形態例の押圧キャップ２は、弾性可動部２ｂが押圧頭部２ａの下縁から下方に延出されているのに対し、本例の押圧キャップ２は、弾性可動部２ｂが押圧頭部２ａから水平方向に延出されている点、
（３）第１の実施形態例の調整部材８は筒状であるのに対し、本例の調整部材８は平板リング状である点、である。
【００２８】
本例の調整部材８は、スイッチケース５の開口から露出している弾性可動部２ｂの上面に接着によって固定されている。
本例においても、第１の実施形態例と同様に、プッシュスイッチ本体を組み立てた後に調整部材８を付加することができるため、簡単に押圧操作力を調整することができると共に、プッシュスイッチ本体（調整部材８以外の全ての部品）を共用することもできる。
【００２９】
本例の調整部材８による押圧操作力の調整は、弾性係数が異なる材質のものを用いる他にも、例えば調整部材８の内径と外径及び厚みを変化させることによっても簡単に行うことができる。
【００３０】
以上、本発明の実施形態例を説明したが、本発明はこれらの実施形態例に限定されるものではなく、本発明の要旨を逸脱しない範囲で、適宜の変更や部品の追加・削除等ができることは言うまでもない。
【００３１】
例えば、スイッチケース５がスイッチ基板３を固定できる構造を有する場合には、ストッパ６は必ずしも必要ではない。また、スイッチの防水等が別の手段で確保されるならば、充填材７は必ずしも必要ではない。また、スイッチ４においても任意の構造のものを用いることができる。
【符号の説明】
【００３２】
１  プッシュスイッチ
２  押圧キャップ
２ａ  押圧頭部
２ｂ  弾性可動部
２ｃ  押圧突起部
２ｄ  固定部
２ｅ  段差部
３  スイッチ基板
４  スイッチ
４ａ  本体部
４ｂ  操作部
５  スイッチケース
５ａ  鍔部
５ｂ  係止突起
６  ストッパ
７  充填材
８、９  調整部材
【図１】
2011243479.tif 000003
【図２】
2011243479.tif 000004
【図３】
2011243479.tif 000005
【図４】
2011243479.tif 000006